(57)【特許請求の範囲】
【請求項１】
長手方向にスリットを有する筒状のコルゲートチューブを複数の電線にそれぞれ装着する装置であって、
各コルゲートチューブの装着対象毎に各電線を並列に並べて保持する電線保持部と、
前記電線保持部に保持された各電線にそれぞれ対応して設けられ、各電線が出し入れ可能に収容されると共に、各電線が収容された状態で装着対象の前記各コルゲートチューブの前記スリットにそれぞれ差し込まれる複数の治具と、
前記電線保持部から該電線保持部に保持された各電線の延在方向に前記コルゲートチューブの前記長手方向の寸法以上離間した装着位置に、前記電線保持部に保持された各電線を収容した前記各治具がそれぞれ配置されるように、前記複数の治具を並列に並べて支持する治具支持部と、
前記複数の治具の前記電線が出し入れされる開口を連動して開閉させる開閉機構とを備え、
前記各治具は、該治具に収容された前記電線に沿って配置される折り返し部と、該折り返し部に連なり前記電線の両側にそれぞれ配置される一対の側板部とを有しており、
前記開口は、前記折り返し部に対して傾斜して延在する前記各側板部の先端のうち、前記折り返し部からの距離が最も遠い先端部分間に形成され、
前記開閉機構により前記開口が閉じられることで、前記各側板部の前記折り返し部からの距離が最も遠い先端部分同士が、前記コルゲートチューブの前記スリットに差し込み可能に閉じ合わされる、
コルゲートチューブ装着装置。
【請求項２】
前記各治具が、前記装着位置と、該装着位置よりも前記延在方向において前記電線保持部に近い収容位置との間で移動するように、前記治具支持部及び前記開閉機構を前記延在方向に移動させる移動機構をさらに備える請求項１記載のコルゲートチューブ装着装置。
【請求項３】
前記各治具が、前記開口を開いた状態で、前記電線保持部に保持された各電線の軌跡上の進出位置と該軌跡上から退避した退避位置との間で進退するように、前記治具支持部及び前記開閉機構を移動させる進退機構をさらに備える請求項１又は２記載のコルゲートチューブ装着装置。
【請求項４】
長手方向にスリットを有する筒状のコルゲートチューブを複数の電線にそれぞれ装着する方法であって、
電線保持部に並列に並べて保持された前記各電線に対応する複数の治具を、前記電線保持部の対応する電線を収容した電線収容状態で、前記電線保持部から前記コルゲートチューブの前記長手方向の寸法以上離間した装着位置に、並列に並べてそれぞれ配置する治具配置工程と、
前記装着位置の各治具を前記スリットに差し込んだ前記コルゲートチューブを、前記治具に沿ってスライドさせるチューブスライド工程と、
前記スライドにより前記コルゲートチューブが前記治具を通過する際に拡開された前記スリットに、前記治具から外側に延出した前記電線を通過させて、該コルゲートチューブの全体に亘って前記電線を前記コルゲートチューブの内側に挿入することで、該コルゲートチューブを前記電線に装着するチューブ装着工程と、
前記コルゲートチューブが装着された前記各電線を、各電線をそれぞれ収容した前記各治具から一括して各治具の外側に離脱させる電線離脱工程と、
を含むコルゲートチューブ装着方法。
【請求項５】
前記治具は、前記電線収容状態において前記電線に沿って配置される折り返し部と、該折り返し部に連なり前記電線収容状態において前記電線の両側にそれぞれ配置される一対の側板部とを有しており、
前記各治具は、前記チューブスライド工程に先立って、前記装着位置において、前記折り返し部に対して傾斜してそれぞれ延在する前記一対の側板部の各先端のうち、前記折り返し部からの距離が最も遠い先端部分間同士が、前記コルゲートチューブの前記スリットに差し込み可能に閉じ合わされて、前記電線が出し入れされる開口が閉じられており、
前記チューブスライド工程は、前記閉じ合わされた先端部分を前記長手方向における一端側から前記スリットに差し込んだ前記コルゲートチューブを、前記一対の側板部の先端に沿ってスライドさせて行われ、
前記チューブ装着工程は、前記スライドにより前記一対の側板部の前記折り返し部からの距離が最も近い先端部分を通過し拡開された前記コルゲートチューブの前記スリットに、前記一対の側板部の前記折り返し部からの距離が最も近い先端部分から前記治具の外側に延出した前記電線を通過させて行われ、
前記電線離脱工程は、前記治具の前記開口を開いて該開口から前記電線を前記治具の外側に取り出すことで行われる、
請求項４記載のコルゲートチューブ装着方法。
【請求項６】
前記治具配置工程は、
前記電線保持部に保持された各電線の延在方向において前記装着位置よりも前記電線保持部に近い収容位置において、前記電線保持部に保持された前記電線を対応する前記治具の開いた前記開口から内部に挿入する電線挿入工程と、
前記電線を内部に挿入した前記治具を前記収容位置から前記装着位置に移動させる治具移動工程と、
前記収容位置又は前記装着位置において、前記電線収容状態の前記治具の前記開口を閉じる開口閉鎖工程と、
を含む、
請求項５記載のコルゲートチューブ装着方法。
【発明の詳細な説明】
【技術分野】
【０００１】
本発明は、電線にコルゲートチューブを装着する技術に関する。
【背景技術】
【０００２】
電線の結束や保護等のために用いられるコルゲートチューブは、電線を収容可能な内径の筒状を呈しており、コルゲートチューブの周面には、中心軸方向に沿ってスリットが形成されている。そこで、スリットを拡開して形成したコルゲートチューブの隙間からコルゲートチューブの内部に結束対象や保護対象の電線を挿入することで、それらを覆うようにコルゲートチューブを装着することができる。
【０００３】
このとき、コルゲートチューブのスリットを剛性に抗して拡開するには相応の力を必要とするので、その作業を簡便にするための治具が従来から知られている。この治具は、Ｕ字状の折り返し部とこれに連なる三角形状の一対の側板部とを有している。
【０００４】
この治具を用いて電線にコルゲートチューブを装着する際には、治具の両側板部間に電線を挿入して折り返し部に配置し、側板部の折り返し部から離れた側の先端同士を閉じ合わせて、電線を治具に収容した状態で、閉じ合わせた両側板部の先端をコルゲートチューブの一端側からスリットに差し込む。そして、このままコルゲートチューブを側板部の先端に沿って側板部の折り返し部に近い側の先端側にスライドさせる。
【０００５】
これにより、側板部の折り返し部に近い側の先端に近づくにつれてコルゲートチューブのスリットが拡開され、側板部の折り返し部に近い側の先端を通過する際に、ここから治具の外側に延出している電線をコルゲートチューブの拡開されたスリットが跨ぎ、コルゲートチューブの内部に電線が収容される。
【０００６】
したがって、コルゲートチューブの一端側からスリットに治具を差し込んで、コルゲートチューブを治具に対し他端側に移動させることで、コルゲートチューブを電線に装着することができる（例えば、特許文献１）。
【先行技術文献】
【特許文献】
【０００７】
【特許文献１】特開平７−２４５８４０号公報
【発明の概要】
【発明が解決しようとする課題】
【０００８】
上述した治具は、コルゲートチューブのスリットを拡開させて電線のコルゲートチューブの内部に挿入する際の労力を軽減できる点で、非常に有用なものである。しかし、特にワイヤハーネスのような多数の電線にコルゲートチューブそれぞれ装着する際には、コルゲートチューブを装着する一つ一つの電線に対して上述した治具を用いた一連の装着作業を行うことになり、その作業量と所要時間は相当なものとなる。
【０００９】
また、装着するコルゲートチューブの径や長さが装着対象の電線毎に異なると、上述した治具を用いたとしても、コルゲートチューブを装着する相手の電線を複数の電線の中から選び出して治具を装着する作業は容易でない。
【００１０】
本発明は前記事情に鑑みなされたもので、本発明の目的は、複数の電線にそれぞれコルゲートチューブを装着する際の作業効率を向上させることができるコルゲートチューブ装着装置及びコルゲートチューブ装着方法を提供することにある。
【課題を解決するための手段】
【００１１】
前記目的を達成するため本発明の第１の態様によるコルゲートチューブ装着装置は、
長手方向にスリットを有する筒状のコルゲートチューブを複数の電線にそれぞれ装着する装置であって、
各コルゲートチューブの装着対象毎に各電線を並列に並べて保持する電線保持部と、
前記電線保持部に保持された各電線にそれぞれ対応して設けられ、各電線が出し入れ可能に収容されると共に、各電線が収容された状態で装着対象の前記各コルゲートチューブの前記スリットにそれぞれ差し込まれる複数の治具と、
前記電線保持部から該電線保持部に保持された各電線の延在方向に前記コルゲートチューブの前記長手方向の寸法以上離間した装着位置に、前記電線保持部に保持された各電線を収容した前記各治具がそれぞれ配置されるように、前記複数の治具を並列に並べて支持する治具支持部と、
前記複数の治具の前記電線が出し入れされる開口を連動して開閉させる開閉機構とを備え、
前記各治具は、該治具に収容された前記電線に沿って配置される折り返し部と、該折り返し部に連なり前記電線の両側にそれぞれ配置される一対の側板部とを有しており、
前記開口は、前記折り返し部に対して傾斜して延在する前記各側板部の先端のうち、前記折り返し部からの距離が最も遠い先端部分間に形成され、
前記開閉機構により前記開口が閉じられることで、前記各側板部の前記折り返し部からの距離が最も遠い先端部分同士が、前記コルゲートチューブの前記スリットに差し込み可能に閉じ合わされるものである。
【００１２】
本発明の第１の態様によるコルゲートチューブ装着装置によれば、電線保持部に並列に並べて保持されたコルゲートチューブの装着対象の電線は、治具支持部によって並列に並べて支持された複数の治具のうち対応する治具の、開閉機構によって連動して開閉される開口から出し入れされる。
【００１３】
各治具の内部にそれぞれ挿入された電線の両側に配置される各治具の一対の側板部の先端は、挿入された電線に沿って配置される各治具の折り返し部に対してそれぞれ傾斜して延在し、両側板部の折り返し部からの距離が最も遠い先端部分間に、各治具の開口がそれぞれ形成される。
【００１４】
電線が内部に挿入された各治具は、筒状のコルゲートチューブの長手方向の寸法以上電線保持部から離間した装着位置に、治具支持部によって支持されて並列に並べて配置される。少なくとも装着位置において各治具は、開閉機構によって開口が閉じられた状態とされており、各治具の両側板部の折り返し部からの距離が最も遠い先端部分同士は、コルゲートチューブの長手方向に存在するスリットに差し込み可能に閉じ合わされている。
【００１５】
そこで、装着位置において、各治具の閉じ合わされた両側板部の折り返し部からの距離が最も遠い先端部分を、各治具に収容された電線に装着するコルゲートチューブのスリットに、長手方向の一端側から差し込んで、両側板部の先端に沿ってコルゲートチューブをスライドさせる。
【００１６】
すると、各治具に収容された電線が治具の外側に延出する両側板部の折り返し部からの距離が最も近い先端部分をコルゲートチューブが通過する際に、両側板部の先端が差し込まれたコルゲートチューブのスリットが治具によって拡開され、治具の外側に延出した電線が、拡開されたスリットを通過してコルゲートチューブの内側に挿入される。
【００１７】
そして、治具の両側板部の折り返し部からの距離が最も近い先端部分をコルゲートチューブが通過し終えると、コルゲートチューブの全体が電線に装着されて治具と電線保持部との間に配置される。
【００１８】
このとき、電線保持部と装着位置の各治具とがコルゲートチューブの長手方向の寸法以上離間しているので、治具に対してコルゲートチューブをスライドさせて電線にコルゲートチューブを装着する際に、装着完了前のコルゲートチューブが電線保持部に突き当たることがない。
【００１９】
よって、治具に対してコルゲートチューブを途中でスライドすることができなくなって、電線に対するコルゲートチューブの装着作業が途中で中断されてしまうことがない。
【００２０】
したがって、治具を用いて複数の電線にコルゲートチューブをそれぞれ装着する際に、複数の治具を一括して、各治具に対応する電線を収容してコルゲートチューブの電線に対する装着作業を滞りなく行える状態にすることができる。
【００２１】
その上、各電線が電線保持部に並列に並べて保持され、各電線に対応する治具も、治具支持部により支持されて装着位置に並列に並べて配置されるので、電線保持部や治具における電線の並び順を予め決めておくと、各電線に装着する適切な径や長さのコルゲートチューブも、電線の並び順に合わせて予め決めておいて、装着の際に容易に選択することができる。
【００２２】
このため、複数の電線にそれぞれコルゲートチューブを装着する際の作業効率を向上させることができる。
【００２３】
また、本発明の第２の態様によるコルゲートチューブ装着装置は、本発明の第１の態様によるコルゲートチューブ装着装置において、前記各治具が、前記装着位置と、該装着位置よりも前記延在方向において前記電線保持部に近い収容位置との間で移動するように、前記治具支持部及び前記開閉機構を前記延在方向に移動させる移動機構をさらに備える。
【００２４】
本発明の第２の態様によるコルゲートチューブ装着装置によれば、本発明の第１の態様によるコルゲートチューブ装着装置において、治具支持部により並列に並べて支持された複数の治具を、移動機構により装着位置よりも電線保持部に近い収容位置に、開閉機構と共に移動させることができる。
【００２５】
このため、電線保持部に並列に並べて保持された各電線の間隔が電線保持部から離間するにつれて電線の可撓性により変化する場合であっても、装着位置に比べて各電線の間隔が電線保持部における間隔に近い収容位置において、開閉機構により連動して開いた開口から各治具の内部に対応する電線をそれぞれ容易に収容することができる。
【００２６】
さらに、本発明の第３の態様によるコルゲートチューブ装着装置は、本発明の第１又は第２の態様によるコルゲートチューブ装着装置において、前記各治具が、前記開口を開いた状態で、前記電線保持部に保持された各電線の軌跡上の進出位置と該軌跡上から退避した退避位置との間で進退するように、前記治具支持部及び前記開閉機構を移動させる進退機構をさらに備える。
【００２７】
本発明の第３の態様によるコルゲートチューブ装着装置によれば、本発明の第１又は第２の態様によるコルゲートチューブ装着装置において、電線保持部に保持された各電線に対応する各治具が進退機構により、電線保持部に保持された各電線の軌跡に対して、治具支持部及び開閉機構と共に一括して進出及び退避される。
【００２８】
このため、電線保持部に保持された各電線の、対応する各治具に対する開かれた開口からの出し入れを、各電線を動かすことなく全ての電線について一括して行えるようにすることができる。
【００２９】
また、前記目的を達成するため本発明の第４の態様によるコルゲートチューブ装着方法は、
長手方向にスリットを有する筒状のコルゲートチューブを複数の電線にそれぞれ装着する方法であって、
電線保持部に並列に並べて保持された前記各電線に対応する複数の治具を、前記電線保持部の対応する電線を収容した電線収容状態で、前記電線保持部から前記コルゲートチューブの前記長手方向の寸法以上離間した装着位置に、並列に並べてそれぞれ配置する治具配置工程と、
前記装着位置の各治具を前記スリットに差し込んだ前記コルゲートチューブを、前記治具に沿ってスライドさせるチューブスライド工程と、
前記スライドにより前記コルゲートチューブが前記治具を通過する際に拡開された前記スリットに、前記治具から外側に延出した前記電線を通過させて、該コルゲートチューブの全体に亘って前記電線を前記コルゲートチューブの内側に挿入することで、該コルゲートチューブを前記電線に装着するチューブ装着工程と、
前記コルゲートチューブが装着された前記各電線を、各電線をそれぞれ収容した前記各治具から一括して各治具の外側に離脱させる電線離脱工程と、
を含む。
【００３０】
本発明の第４の態様によるコルゲートチューブ装着方法によれば、治具配置工程によって、長手方向にスリットを有する筒状のコルゲートチューブを装着する対象の各電線を並列に並べて保持した電線保持部に対して、コルゲートチューブを装着する際に各電線がそれぞれ収容される対応する各治具が、コルゲートチューブの長手方向の寸法以上離間した装着位置に配置される。
【００３１】
そして、チューブスライド工程において、スリットに装着位置の各治具を差し込んだコルゲートチューブを治具に沿ってスライドさせると、治具を通過する際にスリットが拡開される。
【００３２】
そこで、チューブ装着工程において、治具に収容された電線の治具から外側に延出した部分を、治具を通過する際に拡開されたスリットに通過させることができ、スリットに差し込んだ治具をコルゲートチューブの全体が通過すると、電線保持部と治具との間の電線にコルゲートチューブが装着される。
【００３３】
このとき、電線保持部と装着位置の各治具とがコルゲートチューブの長手方向の寸法以上離間しているので、治具に対してコルゲートチューブをスライドさせて電線にコルゲートチューブを装着する際に、装着完了前のコルゲートチューブが電線保持部に突き当たることがない。
【００３４】
よって、治具に対してコルゲートチューブを途中でスライドすることができなくなって、電線に対するコルゲートチューブの装着作業が途中で中断されてしまうことがない。
【００３５】
なお、コルゲートチューブの装着後には、電線離脱工程において、コルゲートチューブが装着された各電線が各治具から外側に一括して離脱される。
【００３６】
したがって、治具を用いて複数の電線にコルゲートチューブをそれぞれ装着する際に、複数の電線を一括して、各治具に対応する電線を収容してコルゲートチューブの電線に対する装着作業を滞りなく行える状態にすることができる。また、コルゲートチューブ装着後の電線の治具からの離脱作業も、一括して行うことができる。
【００３７】
その上、各電線が電線保持部に並列に並べて保持され、各電線に対応する治具も装着位置に並列に並べて配置されるので、電線保持部や治具における電線の並び順を予め決めておくと、各電線に装着する適切な径や長さのコルゲートチューブも、電線の並び順に合わせて予め決めておいて、装着の際に容易に選択することができる。
【００３８】
このため、複数の電線にそれぞれコルゲートチューブを装着する際の作業効率を向上させることができる。
【００３９】
なお、本発明の第４の態様によるコルゲートチューブ装着方法において、本発明の第５の態様によるコルゲートチューブの装着方法のように、
前記治具は、前記電線収容状態において前記電線に沿って配置される折り返し部と、該折り返し部に連なり前記電線収容状態において前記電線の両側にそれぞれ配置される一対の側板部とを有しており、
前記各治具は、前記チューブスライド工程に先立って、前記装着位置において、前記折り返し部に対して傾斜してそれぞれ延在する前記一対の側板部の各先端のうち、前記折り返し部からの距離が最も遠い先端部分間同士が、前記コルゲートチューブの前記スリットに差し込み可能に閉じ合わされて、前記電線が出し入れされる開口が閉じられており、
前記チューブスライド工程は、前記閉じ合わされた先端部分を前記長手方向における一端側から前記スリットに差し込んだ前記コルゲートチューブを、前記一対の側板部の先端に沿ってスライドさせて行われ、
前記チューブ装着工程は、前記スライドにより前記一対の側板部の前記折り返し部からの距離が最も近い先端部分を通過し拡開された前記コルゲートチューブの前記スリットに、前記一対の側板部の前記折り返し部からの距離が最も近い先端部分から前記治具の外側に延出した前記電線を通過させて行われ、
前記電線離脱工程は、前記治具の前記開口を開いて該開口から前記電線を前記治具の外側に取り出すことで行われるようにすることができる。
【００４０】
さらに、本発明の第６の態様によるコルゲートチューブの装着方法は、本発明の第５の態様によるコルゲートチューブ装着方法において、
前記治具配置工程は、
前記電線保持部に保持された各電線の延在方向において前記装着位置よりも前記電線保持部に近い収容位置において、前記電線保持部に保持された前記電線を対応する前記治具の開いた前記開口から内部に挿入する電線挿入工程と、
前記電線を内部に挿入した前記治具を前記収容位置から前記装着位置に移動させる治具移動工程と、
前記収容位置又は前記装着位置において、前記電線収容状態の前記治具の前記開口を閉じる開口閉鎖工程と、
を含む。
【００４１】
本発明の第６の態様によるコルゲートチューブの装着方法によれば、本発明の第５の態様によるコルゲートチューブ装着方法において、電線挿入工程において、装着位置よりも電線保持部に近い収容位置において、電線保持部に保持された電線が対応する治具の開いた開口から内部に挿入される。また、続く治具移動工程において、電線が挿入された治具が開口を開いた状態又は閉じた状態で収容位置から装着位置に移動される。
【００４２】
このため、電線保持部に並列に並べて保持された各電線の間隔が電線保持部から離間するにつれて電線の可撓性により変化する場合であっても、装着位置に比べて各電線の間隔が電線保持部における間隔に近い収容位置において、開いた開口から各治具の内部に対応する電線をそれぞれ容易に収容することができる。
【００４３】
なお、チューブスライド工程に先立って開口が閉じられて装着位置に配置される治具は、収容位置において開口閉鎖工程により開口を閉じてから、治具移動工程により装着位置に移動させてもよく、開口を開いたまま治具移動工程により装着位置に移動させてから、装着位置において開口閉鎖工程により開口を閉じてもよい。
【発明の効果】
【００４４】
本発明によれば、複数の電線にそれぞれコルゲートチューブを装着する際の作業効率を向上させることができる。
【図面の簡単な説明】
【００４５】
【図１】本発明に係るコルゲートチューブ装着方法を実施するのに用いる本発明の一実施形態に係るコルゲートチューブ装着装置の概略構成を示す斜視図である。
【図２】図１の装着ユニットの移動フレームを示す平面図である。
【図３】図２の装着治具の概略構成を示すもので、（ａ）は装着治具の斜視図、（ｂ）は（ａ）の装着治具を用いて電線にコルゲートチューブを装着する作業を示す斜視図、（ｃ）は（ａ）のＩ−Ｉ線断面図である。
【図４】図３（ｃ）のコルゲートチューブの概略構成を示す斜視図である。
【図５】図２の開閉機構による装着治具の開口を開いた開放状態における移動フレームの要部拡大平面図である。
【図６】図２の開閉機構による装着治具の開口を閉じた閉鎖状態における移動フレームの要部拡大平面図である。
【図７】図２の開閉機構による装着治具の開閉動作を示すもので、（ａ）は装着治具の開放状態を示す説明図、（ｂ）は装着治具の閉鎖状態を示す説明図である。
【図８】図２の開閉機構により装着治具が閉鎖状態とされた移動フレームの平面図である。
【図９】図１のコルゲートチューブ装着装置を用いて行うコルゲートチューブ装着方法の手順を示すフローチャートである。
【図１０】図１の装着ユニットの待機状態を示すコルゲートチューブ装着装置の要部拡大側面図である。
【図１１】図９の治具配置工程の詳細な手順を示すフローチャートである。
【図１２】図１０の装着治具を進出位置に進出させて収容位置に配置した状態を示すコルゲートチューブ装着装置の要部拡大側面図である。
【図１３】図１２の収容位置に配置した開放状態の装着治具に電線が挿入された状態を示す移動フレームの要部拡大平面図である。
【図１４】図１３の収容位置において電線収容状態にある装着治具を閉鎖状態とした移動フレームの要部拡大平面図である。
【図１５】図１３の収容位置から装着位置に装着治具を移動させた装着ユニットの要部拡大側面図である。
【図１６】図１５の装着位置において電線挿入状態にある装着治具が閉鎖状態となった移動フレームの要部拡大平面図である。
【図１７】図１３の収容位置において電線収容状態にある装着治具を開放状態のまま装着位置に移動させた移動フレームの要部拡大平面図である。
【図１８】図１６の閉鎖状態とした装着位置の装着治具の側壁部の先端を図４のコルゲートチューブのスリットに差し込んだ状態を示す装着ユニットの要部拡大側面図である。
【図１９】図１８の装着位置における開口を閉鎖状態とした装着治具の側壁部の先端をコルゲートチューブのスリットに差し込んだ移動フレームの要部拡大平面図である。
【図２０】図１９のコルゲートチューブを装着治具の側壁部の先端に沿って電線保持具側にスライドさせて電線に装着した状態を示す移動フレームの要部拡大平面図である。
【図２１】図２０の電線に対するコルゲートチューブの装着後の装着位置における装着治具の開口を開放状態とした移動フレームの要部拡大平面図である。
【図２２】図２１の開口を開放状態とした装着治具を揺動機構により電線の軌跡から外れた退避位置に退避させた状態を示す装着ユニットの要部拡大側面図である。
【図２３】図２２の退避位置に装着治具を退避させた移動フレームの移動により待機状態に戻した装着ユニットを示す要部拡大側面図である。
【発明を実施するための形態】
【００４６】
以下、本発明の一実施形態について、図面を参照して説明する。各図面を通じて同一もしくは同等の部位や構成要素には、同一もしくは同等の符号を付している。
【００４７】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００４８】
図１は本発明に係るコルゲートチューブ装着方法を実施するのに用いる本発明の一実施形態に係るコルゲートチューブ装着装置の概略構成を示す斜視図である。図１に示す本実施形態のコルゲートチューブ装着装置１は、後述する先端にコネクタが取り付けられた電線にコルゲートチューブを装着する作業を行う際に用いられるもので、移送ユニット３及び装着ユニット５を有している。
【００４９】
移送ユニット３は、四隅に脚部を有する門形の枠体３１を有しており、枠体３１の上面枠３１ａの前部には、ガイドレール３３上をスライド可能な電線保持具３５（請求項中の電線保持部に相当）が設けられている。
【００５０】
電線保持具３５は、弾性を有する逆Ｕ字状の挟持片３５ａを複数並べて保持しており、隣り合う２つの挟持片３５ａ，３５ａ間に、後述する先端にコネクタが取り付けられた電線を挟み込んで保持させることができるように構成されている。
【００５１】
ガイドレール３３は、電線に対するコルゲートチューブの装着工程の前後の工程が行われる各装置の移送ユニットに設けたガイドレール（いずれも図示せず）と接続して、前後の工程を行う装置との間で電線保持具３５を受け渡せるようにすることができる。
【００５２】
装着ユニット５は、移送ユニット３の枠体３１の内側に収容可能に構成されており、四隅に脚部を有する枠体５１を有している。枠体５１の若干前方に傾斜した上面枠５１ａには、不図示のガイド機構を介して移動フレーム５１ｂ（請求項中の移動機構に相当）が、上面枠５１ａと平行にスライド可能に支持されている。
【００５３】
上面枠５１ａに対して移動フレーム５１ｂがスライドすることで、移動フレーム５１ｂを移送ユニット３の枠体３１の前方に出し入れすることができる。移動フレーム５１ｂの前部には、治具ユニット５３が設けられている。
【００５４】
治具ユニット５３は、移動フレーム５１ｂの拡大平面図である図２に示すように、複数の装着治具５５（請求項中の治具に相当）と、装着治具５５の開閉機構５７と、これら装着治具５５及び開閉機構５７の揺動機構５９（請求項中の進退機構に相当）とを有している。
【００５５】
各装着治具５５は、可撓性を有する樹脂材料で形成されており、図３（ａ）の斜視図に示すように、折り返し部５５ａとこれに連なり互いに並行に延在する一対の三角形状の側板部５５ｂ，５５ｂとを有している。各側板部５５ｂの先端からこれに連なる折り返し部５５ａの一端にかけては、装着治具５５の外側に向けてＵ字状のフランジ５５ｃが突設されている。
【００５６】
この装着治具５５は、図３（ｂ）の斜視図に示すように、一対の側板部５５ｂ，５５ｂ間に挿入した電線Ｗ（複数本の電線束の場合を含む）にコルゲートチューブＣを装着するために使用される治具である。
【００５７】
したがって、図３（ａ）に示すように、装着治具５５は、一対の側板部５５ｂ，５５ｂの間に電線Ｗを収容可能な間隔が設けられており、各側板部５５ｂの折り返し部５５ａから最も離れた先端部分間に、電線Ｗを出し入れする開口５５ｄが設けられている。また、図３（ａ）のＩ−Ｉ線断面図である図３（ｃ）に示すように、折り返し部５５ａは、一対の側板部５５ｂ，５５ｂ間に収容した電線Ｗに沿って延在する。
【００５８】
コルゲートチューブＣは、図４の斜視図に示すように、例えば耐熱性を有する樹脂材料により蛇腹を有する薄肉の筒状に形成されており、コルゲートチューブＣの周面には、中心軸に沿った長手方向ＬＡに寸法ＬＣの長さを有している。また、コルゲートチューブＣには、長手方向ＬＡの全体に亘ってスリットＳが形成されている。
【００５９】
図３（ａ）に示す装着治具５５の、各側板部５５ｂの折り返し部５５ａから最も離れた先端部分同士を閉じ合わせると、閉じ合わせた両側板部５５ｂの先端部分は、図４に示すコルゲートチューブＣのスリットＳに差し込み可能な薄さとなる。
【００６０】
このように構成された装着治具５５は、電線ＷにコルゲートチューブＣを装着する際に、図３（ｂ）に示すように、電線Ｗを収容して開口５５ｄを閉じた装着治具５５の両側板部５５ｂの閉じ合わせた先端部分をスリットＳに差し込んで使用される。
【００６１】
各装着治具５５は、図２に示すように、移動フレーム５１ｂの左右方向のほぼ全長に亘る長さを有する矩形の支持部材５５ｅに折り返し部５５ａをねじ止めすることで、支持部材５５ｅの長手方向（移動フレーム５１ｂの左右方向）に一対の側板部５５ｂ，５５ｂの間隔方向を一致させた向きで、一定間隔をおいて取り付けられている。したがって、支持部材５５ｅ上で各装着治具５５の側板部５５ｂの先端は、支持部材５５ｅと電線保持具３５との間隔方向に延在している。
【００６２】
開閉機構５７は、上述した各装着治具５５の開口５５ｄを一括して開閉させるために使用される。開閉機構５７は、移動フレーム５１ｂの要部拡大平面図である図５及び図６に示すように、支持部材５５ｅの前後にそれぞれ配置されたリンクフレーム５７ａ，５７ｂと、前後のリンクフレーム５７ａ，５７ｂにそれぞれ一定間隔で複数立設された前列及び後列の押えピン５７ｃ，５７ｄとを有している。
【００６３】
前列の各押えピン５７ｃの基端は、前側のリンクフレーム５７ａに対して３６０°の全方向に揺動可能に取り付けられており、前列の各押えピン５７ｃの先端は、支持部材５５ｅの前端側に一定間隔で複数形成された各貫通孔５５ｆに遊挿されて支持部材５５ｅの上方に突出し、各装着治具５５の一方の側板部５５ｂに外側から当接している。
【００６４】
同様に、後列の各押えピン５７ｄの基端は、後側のリンクフレーム５７ｂに対して３６０°の全方向に揺動可能に取り付けられており、後列の各押えピン５７ｄの先端は、支持部材５５ｅの後端側に一定間隔で複数形成された各貫通孔５５ｇに遊挿されて、支持部材５５ｅの上方に突出し、各装着治具５５の他方の側板部５５ｂに外側から当接している。
【００６５】
前後の各リンクフレーム５７ａ，５７ｂは、支持部材５５ｅをそれぞれ支点とする複数のリンクレバー５７ｅによって枢支されている。このリンクレバー５７ｅを支持部材５５ｅの支点を中心に揺動させることで、前後の各リンクフレーム５７ａ，５７ｂを支持部材５５ｅに対して、左右方向の互いに逆の向きにスライドさせることができる。
【００６６】
なお、図５及び図６では、図面の見やすさのため、支持部材５５ｅ上の装着治具５５を１つのみ図示し、その他の図示を省略している。
【００６７】
そして、リンクレバー５７ｅにより前後のリンクフレーム５７ａ，５７ｂが図５に示す相対位置にあるときには、前列及び後列の各押えピン５７ｃ，５７ｄの先端は、図７（ａ）の説明図に示すように、移動フレーム５１ｂの前方から見て、装着治具５５の両側板部５５ｂ，５５ｂの間隔と同じ間隔をおいて配置される。このため、装着治具５５は、図５に示すように、開口５５ｄを開いた開放状態となる。
【００６８】
一方、リンクレバー５７ｅにより前後のリンクフレーム５７ａ，５７ｂが図６に示す相対位置にあるときには、前列及び後列の各押えピン５７ｃ，５７ｄの先端は、図７（ｂ）の説明図に示すように、移動フレーム５１ｂの前方から見て、装着治具５５の両側板部５５ｂ，５５ｂの間隔よりも小さい間隔に接近して配置される。このため、装着治具５５は、図６に示すように、開口５５ｄを閉じた閉鎖状態となる。
【００６９】
なお、図７（ａ），（ｂ）に示すように、前列及び後列の各押えピン５７ｃ，５７ｄの先端は、装着治具５５の開放状態及び閉鎖状態のいずれにおいても、フランジ５５ｃよりも折り返し部５５ａ側において、各側板部５５ｂに当接する。
【００７０】
揺動機構５９は、移動フレーム５１ｂの軸受部５１ｃ，５１ｃで軸受けされた回転軸５９ａを有している。この回転軸５９ａには、図２に示すように、複数のブラケット５９ｂを介して支持部材５５ｅが連結されている。
【００７１】
移動フレーム５１ｂの外側に延出した回転軸５９ａの一端には、回転軸５９ａの径方向に延出する連絡アーム５９ｃが取り付けられており、連絡アーム５９ｃの先端には、エアシリンダ５９ｄのシリンダロッド５９ｅが枢着されている。また、エアシリンダ５９ｄのシリンダ本体５９ｆの端部は、移動フレーム５１ｂの後部に枢支されている。
【００７２】
したがって、シリンダ本体５９ｆに対してシリンダロッド５９ｅを出没させることで、回転軸５９ａを回転させて、回転軸５９ａに連結された支持部材５５ｅや、支持部材５５ｅに取り付けられた装着治具５５及び開閉機構５７、即ち、揺動機構５９を除く治具ユニット５３の全体を、回転軸５９ａを中心に揺動させることができる。
【００７３】
そして、エアシリンダ５９ｄのシリンダロッド５９ｅを縮退させて、揺動機構５９を除く治具ユニット５３の全体を正方向に揺動させると、各装着治具５５が、電線保持具３５の対応する挟持片３５ａ，３５ａ間に保持された電線Ｗの下方から、該電線Ｗの軌跡上の進出位置に進出する。この進出位置では、図３（ａ）に示すように、装着治具５５の一対の側板部５５ｂ，５５ｂ間に電線Ｗが収容されて、折り返し部５５ａが電線Ｗに沿って延在する。
【００７４】
一方、エアシリンダ５９ｄのシリンダロッド５９ｅを伸長させて、揺動機構５９を除く治具ユニット５３の全体を逆方向に揺動させると、各装着治具５５が、電線保持具３５の対応する挟持片３５ａ，３５ａ間に保持された電線Ｗの軌跡上から下方の退避位置に退避する。
【００７５】
なお、回転軸５９ａは、開閉機構５７に設けたエアシリンダ５７ｆのシリンダ本体５７ｇの端部を、回転軸５９ａの周面上で枢支している。エアシリンダ５７ｆのシリンダロッド５７ｈは、前側のリンクフレーム５７ａの前方に延出する右側のリンクレバー５７ｅの一端に枢着されている。
【００７６】
したがって、シリンダ本体５７ｇに対してシリンダロッド５７ｈを出没させることで、支持部材５５ｅの支点を中心にして開閉機構５７のリンクレバー５７ｅを揺動させ、前後の各リンクフレーム５７ａ，５７ｂを支持部材５５ｅに対して、左右方向の互いに逆の向きにスライドさせることができる。
【００７７】
具体的には、開閉機構５７において、エアシリンダ５７ｆのシリンダロッド５７ｈが伸長し、リンクレバー５７ｅにより前後のリンクフレーム５７ａ，５７ｂが図５に示す相対位置にスライドすると、図２に示すように、全ての装着治具５５が一括して開放状態となる。
【００７８】
一方、開閉機構５７において、エアシリンダ５７ｆのシリンダロッド５７ｈが縮退し、リンクレバー５７ｅにより前後のリンクフレーム５７ａ，５７ｂが図６に示す相対位置にスライドすると、図８の拡大平面図に示すように、全ての装着治具５５が閉鎖状態となる。
【００７９】
次に、上述したコルゲートチューブ装着装置１を用いて電線ＷにコルゲートチューブＣを装着する方法の手順について、図９のフローチャートを参照して説明する。コルゲートチューブ装着装置１を用いたコルゲートチューブＣの装着方法は、図９に示すように、電線保持工程（ステップＳ１）、治具配置工程（ステップＳ３）、チューブスライド工程（ステップＳ５）、チューブ装着工程（ステップＳ７）及び電線離脱工程（ステップＳ９）を含んでいる。
【００８０】
まず、ステップＳ１の電線保持工程では、コルゲートチューブ装着装置１の要部拡大側面図である図１０に示すように、移動フレーム５１ｂを前方に引き出さず装着ユニット５の枠体５１の上面枠５１ａの上方に位置させる。そして、電線保持具３５の隣り合う２つの挟持片３５ａ，３５ａ間に、先端にコネクタＣＮが取り付けられた電線Ｗを挟み込んで保持させる。
【００８１】
このとき、コルゲートチューブ装着装置１の治具ユニット５３は初期状態とする。初期状態の治具ユニット５３では、揺動機構５９により装着治具５５が、電線保持具３５に保持された電線Ｗの軌跡から下方に退避した退避位置に配置されている。また、開閉機構５７により装着治具５５が、開口５５ｃを開いた開放状態となっている。
【００８２】
次に、図９に示すステップＳ３の治具配置工程を行う。この治具配置工程は、図１１のフローチャートに示すように、電線挿入工程（ステップＳ３１）、開口閉鎖工程（ステップＳ３３）及び治具移動工程（ステップＳ３５）を含んでいる。
【００８３】
まず、ステップＳ３１の電線挿入工程では、図１０に示すように、移動フレーム５１ｂを装着ユニット５の枠体５１の上面枠５１ａの上方に位置させ、かつ、装着治具５５を開放状態としたまま、揺動機構５９を除く治具ユニット５３の全体を揺動機構５９により正方向に揺動させる。
【００８４】
すると、図１０の退避位置にある開放状態の装着治具５５が、コルゲートチューブ装着装置１の要部拡大側面図である図１２に示すように、電線保持具３５の対応する挟持片３５ａ，３５ａ間に保持された電線Ｗの軌跡上の進出位置に進出する。これにより、移動フレーム５１ｂの要部拡大平面図である図１３に示すように、装着治具５５が収容位置に配置され、電線Ｗが装着治具５５の開口５５ｄから内部に挿入されて一対の側板部５５ｂ，５５ｂ間に収容されて、装着治具５５が電線収容状態となる。
【００８５】
次に、図１１のステップＳ３３の開口閉鎖工程では、図１２の収容位置にある電線収容状態の装着治具５５を、移動フレーム５１ｂの要部拡大平面図である図１４に示すように、開閉機構５７により開放状態から閉鎖状態とする。
【００８６】
閉鎖状態の装着治具５５において、各側板部５５ｂの先端のうち、折り返し部５５ａからの距離が最も遠い支持部材５５ｅの前端側の先端部分、つまり、装着治具５５の開口５５ｄを閉じるために閉じ合わせた先端部分は、図４に示すコルゲートチューブＣのスリットＳに差し込み可能な薄さとなる。
【００８７】
また、装着治具５５の閉鎖状態において、折り返し部５５ａや各側板部５５ｂは、収容した電線Ｗの径よりも十分に大きい筒状空間を内部に形成する。したがって、装着治具５５は閉鎖状態のまま電線Ｗに対してその延在方向に相対移動することができる。
【００８８】
続いて、図１１のステップＳ３５の治具移動工程では、枠体５１の上面枠５１ａに対して移動フレーム５１ｂを前方にスライドさせて、移動フレーム５１ｂの前部に設けられた治具ユニット５３を、移送ユニット３の枠体３１の前方に引き出す。これにより、図１４の収容位置にある閉塞状態の装着治具５５が、コルゲートチューブ装着装置１の要部拡大側面図である図１５に示す装着位置に移動される。
【００８９】
ここで、移動フレーム５１ｂは、枠体５１の前方に若干傾斜した上面枠５１ａに対して平行に移動する。したがって、移動フレーム５１ｂに回転軸５９ａ及び支持部材５５ｅを介して支持された各装着治具５５は、前下がりに傾斜した軌道を通って収容位置から装着位置に移動する。
【００９０】
このため、電線保持具３５に保持されて自身の可撓性と重さにより斜めに垂れ下がった電線Ｗを収容した閉鎖状態の装着治具５５は、その電線Ｗの延在方向に沿って収容位置から装着位置に移動する。よって、閉鎖状態の装着治具５５が収容位置から装着位置への移動中に電線Ｗに対して与える摩擦や屈曲によるストレスが抑制される。
【００９１】
図１５に示す装着位置に移動した装着治具５５は、移動フレーム５１ｂの要部拡大平面図である図１６に示すように、電線Ｗの延在方向において電線保持具３５から間隔Ｌだけ離間して配置される。この間隔Ｌは、電線Ｗに装着するコルゲートチューブＣの図４に示す長手方向ＬＡの寸法ＬＣよりも長い。したがって、装着治具５５を装着位置に配置すると、装着治具５５と電線保持具３５との間に、コルゲートチューブＣを装着するのに十分な長さの電線Ｗが露出する。
【００９２】
なお、図１１のステップＳ３３の開口閉鎖工程とステップＳ３５の治具移動工程とは、順序を逆にして行ってもよい。その場合は、まず、収容位置にある装着治具５５を図１３に示す開放状態としたまま、移動フレーム５１ｂを前方にスライドさせて、装着治具５５を収容位置から装着位置に移動させる。これにより、装着治具５５は開放状態のまま、移動フレーム５１ｂの要部拡大平面図である図１７に示すように、電線Ｗの延在方向において電線保持具３５から間隔Ｌだけ離間して配置される。
【００９３】
そして、装着位置に移動させた装着治具５５を開閉機構５７により開放状態から閉鎖状態とする。これにより、閉鎖状態の装着治具５５を、電線Ｗの延在方向において電線保持具３５から間隔Ｌだけ離間した箇所に配置して、図１６に示す状態とする。
【００９４】
以上のようにして図９に示すステップＳ３の治具配置工程を行ったならば、次に、ステップＳ５のチューブスライド工程を行う。このチューブスライド工程では、コルゲートチューブ装着装置１の要部拡大側面図である図１８に示すように、閉鎖状態の装着治具５５の各側板部５５ｂの先端のうち支持部材５５ｅの前端側の閉じ合わせた先端部分を、図４に示すコルゲートチューブＣのスリットＳに長手方向ＬＡの一端側から差し込む。
【００９５】
このとき、装着治具５５のフランジ５５ｃは、図７（ｂ）に示すように、コルゲートチューブＣの内側に位置させる。そうすることで、コルゲートチューブＣの内周面をフランジ５５ｃに当て付けながら、装着治具５５の側板部５５ｂの先端に沿ってコルゲートチューブＣを容易にスライドさせることができる。
【００９６】
そして、閉鎖状態とした装着治具５５を一端側からスリットＳに差し込んだコルゲートチューブＣを、装着治具５５の両側板部５５ｂの先端（フランジ５５ｃ）に沿って、電線保持具３５側にスライドさせる。
【００９７】
このとき、図７（ｂ）に示すように、前列及び後列の各押えピン５７ｃ，５７ｄの先端は、閉鎖状態の装着治具５５の各側板部５５ｂにおける、フランジ５５ｃよりも折り返し部５５ａ側の箇所に当接している。したがって、スライド中のコルゲートチューブＣが押えピン５７ｃ，５７ｄと干渉してスライドできなくなることはない。
【００９８】
装着治具５５に対してスライドさせたコルゲートチューブＣのスリットＳは、移動フレーム５１ｂの要部拡大平面図である図１７に示す、装着治具５５の電線保持具３５側の端部を通過する際に、閉じ合わされていない両側板部５５ｂによって、電線Ｗの直径を上回る大きさに拡開される。
【００９９】
そこで、続く図９のステップＳ７のチューブ装着工程において、装着治具５５に収容された電線Ｗの装着治具５５から電線保持具３５側に延出した部分を、拡開されたスリットＳに通過させる。スリットＳに差し込んだ装着治具５５をコルゲートチューブＣの長手方向ＬＡの全体が通過すると、移動フレーム５１ｂの要部拡大平面図である図２０に示すように、電線保持具３５と装着治具５５との間に露出した電線ＷにコルゲートチューブＣが装着される。
【０１００】
このとき、電線保持具３５と装着位置の装着治具５５との寸法Ｌが、コルゲートチューブＣの長手方向ＬＡの寸法ＬＣ以上あるので、装着治具５５に対してコルゲートチューブＣをスライドさせて電線ＷにコルゲートチューブＣを装着する際に、装着が完了する前にコルゲートチューブＣが電線保持具３５に突き当たって、装着作業が続けられなくなることはない。
【０１０１】
電線保持具３５と装着位置の装着治具５５との間の電線ＷにコルゲートチューブＣを装着し終えたならば、続く図９のステップＳ９の電線離脱工程において、移動フレーム５１ｂの要部拡大平面図である図２１に示すように、閉鎖状態の装着治具５５を開閉機構５７により開放状態とする。
【０１０２】
そして、装着治具５５を開放状態としたまま、揺動機構５９を除く治具ユニット５３の全体を揺動機構５９により逆方向に揺動させる。
【０１０３】
すると、図１８の進出位置にある開放状態の装着治具５５が、コルゲートチューブ装着装置１の要部拡大側面図である図２２に示すように、電線保持具３５に保持された電線Ｗの軌跡上から下方の退避位置に退避し、装着位置の装着治具５５が、内部に収容した電線Ｗを開口５５ｄの開かれたから装着治具５５の外部に離脱させる。
【０１０４】
なお、装着位置の装着治具５５から電線Ｗを離脱させたならば、枠体５１の上面枠５１ａに対して移動フレーム５１ｂを後方にスライドさせて、移動フレーム５１ｂの前部に設けられた治具ユニット５３を、移送ユニット３の枠体３１の内側に収容する。これにより、図２２の装着位置にある開放状態の装着治具５５が、コルゲートチューブ装着装置１の要部拡大側面図である図２３に示す収容位置に移動され、治具ユニット５３が初期状態に戻る。
【０１０５】
このように構成された本実施形態のコルゲートチューブ装着装置１では、支持部材５５ｅ上の各装着治具５５が開閉機構５７や揺動機構５９により一括して開閉、移動されるので、上述した図９のステップＳ３の治具配置工程やステップＳ９の電線離脱工程は、全ての装着治具５５について一括して行われる。
【０１０６】
したがって、電線保持具３５に保持された複数の電線に装着治具５５を用いてコルゲートチューブＣをそれぞれ装着する際に、複数の電線Ｗを一括して、各装着治具５５に対応する電線Ｗを収容してコルゲートチューブＣの電線Ｗに対する装着作業を滞りなく行える状態にすることができる。また、コルゲートチューブＣの装着後の電線Ｗを装着治具５５から離脱させる作業も、一括して行うことができる。
【０１０７】
その上、本実施形態のコルゲートチューブ装着装置１では、各電線Ｗが電線保持具３５に並列に並べて保持され、各電線Ｗに対応する装着治具５５も、支持部材５５ｅに取り付けられて、移動フレーム５１ｂによって装着位置に並列に並べて配置される。このため、電線保持具３５や装着治具５５における電線Ｗの並び順を予め決めておき、各電線Ｗに装着する適切な径や長さのコルゲートチューブＣも、電線Ｗの並び順に合わせて予め決めておくことで、電線Ｗに装着する際に適切なコルゲートチューブＣを容易に選択することができる。
【０１０８】
このため、電線保持具３５に保持された複数の電線ＷにそれぞれコルゲートチューブＣを装着する際の作業効率を向上させることができる。
【０１０９】
また、本実施形態のコルゲートチューブ装着装置１を用いたコルゲートチューブＣの装着作業では、図１１のステップＳ３１で行う電線挿入工程において、コルゲートチューブＣを電線Ｗに装着する装着位置よりも電線保持具３５に近い収容位置で、電線保持具３５に保持された各電線Ｗが対応する装着治具５５の開いた開口５５ｄから内部に挿入される。そして、その後に行うステップＳ３５の治具移動工程において、電線Ｗが挿入された装着治具５５が開放状態又は閉鎖状態で収容位置から装着位置に移動される。
【０１１０】
このため、電線保持具３５に並列に並べて保持された各電線Ｗ同士の間隔が、電線保持具３５から離間するにつれて電線Ｗの可撓性により変化する場合であっても、装着位置に比べて各電線Ｗの間隔が電線保持具３５における間隔に近い収容位置において、開口５５ｄから各装着治具５５の内部に対応する電線Ｗをそれぞれ容易に収容することができる。
【０１１１】
なお、収容位置で装着治具５５に電線Ｗを収容し、装着治具５５に収容した電線Ｗに対するコルゲートチューブＣの装着作業を行う装着位置に、収容位置の装着治具５５を移動させる工程や、それに必要なコルゲートチューブ装着装置１の構成を省略し、装着治具５５への電線Ｗの収容を装着位置において行うようにしてもよい。
【産業上の利用可能性】
【０１１２】
本発明は、長手方向にスリットを有する筒状のコルゲートチューブを治具を用いて電線に装着する際に適用して極めて有用である。
【符号の説明】
【０１１３】
１  コルゲートチューブ装着装置
３  移送ユニット
５  装着ユニット
３１，５１  枠体
３１ａ，５１ａ  上面枠
３３  ガイドレール
３５  電線保持具（電線保持部）
３５ａ  挟持片
５１ｂ  移動フレーム（移動機構）
５１ｃ  軸受部
５３  治具ユニット
５５  装着治具（治具）
５５ａ  折り返し部
５５ｂ  側板部
５５ｃ  フランジ
５５ｄ  開口
５５ｅ  支持部材
５５ｆ，５５ｇ  貫通孔
５７  開閉機構
５７ａ，５７ｂ  リンクフレーム
５７ｃ，５７ｄ  押えピン
５７ｅ  リンクレバー
５７ｆ，５９ｄ  エアシリンダ
５７ｇ，５９ｆ  シリンダ本体
５７ｈ，５９ｅ  シリンダロッド
５９  揺動機構（進退機構）
５９ａ  回転軸
５９ｂ  ブラケット
５９ｃ  連絡アーム
Ｃ  コルゲートチューブ
ＣＮ  コネクタ
Ｌ  装着治具と電線保持具との間隔
ＬＡ  コルゲートチューブ長手方向
ＬＣ  コルゲートチューブ長手方向寸法
Ｓ  スリット
Ｗ  電線
【図１】
0006674316.tif 000002
【図２】
0006674316.tif 000003
【図３】
0006674316.tif 000004
【図４】
0006674316.tif 000005
【図５】
0006674316.tif 000006
【図６】
0006674316.tif 000007
【図７】
0006674316.tif 000008
【図８】
0006674316.tif 000009
【図９】
0006674316.tif 000010
【図１０】
0006674316.tif 000011
【図１１】
0006674316.tif 000012
【図１２】
0006674316.tif 000013
【図１３】
0006674316.tif 000014
【図１４】
0006674316.tif 000015
【図１５】
0006674316.tif 000016
【図１６】
0006674316.tif 000017
【図１７】
0006674316.tif 000018
【図１８】
0006674316.tif 000019
【図１９】
0006674316.tif 000020
【図２０】
0006674316.tif 000021
【図２１】
0006674316.tif 000022
【図２２】
0006674316.tif 000023
【図２３】
0006674316.tif 000024